(57)【特許請求の範囲】
【請求項１】
少なくとも顔部及び頭部を備えた人頭部本体と、植毛体と、を備えた美容用頭部模型であって、
前記頭部は、前記顔部に対して着脱自在に構成され、
前記植毛体は、前記頭部に対して着脱可能に固定されるベース部と、該ベース部外面に植毛された毛髪と、から成り、
前記植毛体のベース部は、少なくとも一つの中空部を備え、該中空部内に充填物を着脱交換可能に構成することにより、前記植毛体の外観形状を変更可能に構成したことを特徴とする美容用人頭部模型。
【請求項２】
少なくとも顔部及び頭部を備えた人頭部本体と、植毛体と、を備えた美容用頭部模型において、
前記植毛体は、前記頭部に対して着脱自在に取り付けられる内面、及び毛髪を植毛する外面を備えたベース部と、該ベース部の外面に植毛される毛髪と、から成り、
前記ベース部の外観形状を種々異ならせることにより、多様な植毛体形状を作出できるように構成され、
前記ベース部は、少なくとも一つの中空部を備え、該中空部内に充填物を着脱交換可能に構成することにより、前記植毛体の外観形状を変更可能に構成したことを特徴とする美容用人頭部模型。
【発明の詳細な説明】
【０００１】
【発明の属する技術分野】
本発明は美容師、理容師等がヘアカット、カール等の練習を行うための美容用・理容用人頭部模型に関し、特に人頭部本体に対して植毛体を着脱することにより、人頭部本体自体を繰り返し使用可能にして、ヘアカット練習後に廃棄するゴミ量を減少するばかりでなく、同一の人頭部模型を用いながら様々なタイプの頭部形状、癖毛を再現することにより、現実の人頭、毛髪のバリエーションに応じたヘアカット練習を低コストで行うことを可能にした美容用人頭部模型に関する。
【０００２】
【従来の技術】
美容師、理容師がヘアカットやカール等の技能を修得、向上するためには、人頭部模型を用いたヘアカット練習が欠かせない。
人頭部模型は、塩化ビニル等の樹脂材料から成る原寸大の頭部に人毛、人工毛髪等の植毛体を固着したものであり、専門のメーカーによって製造され、美容院や美容学校等に供給される。従来の人頭部模型は、頭部と植毛体とが一体化されていたため、ヘアカット練習のために一回毛髪を使い切ると、頭部を再利用できなくなり、人頭部模型全体を廃棄せざるを得なかった。このため、廃棄するたびに新たな人頭部模型を購入する必要があり、練習のためのコストが増大するばかりでなく、ゴミの増大による環境への悪影響が問題となっている。
このような不具合に対処するため、特開２０００−３４２３３３公報には、人頭模型本体に対して毛髪体を着脱自在に構成することによって、ヘアカット練習により毛髪を使い切った場合に毛髪体だけを交換することにより、頭部模型本体については何度でも使用できるようにして、練習コストダウン、廃棄ゴミ量の低減を図ったヘアカット練習用具が提案されている。
しかし、従来の人頭部模型は、ゆがみ、変形のない平均的タイプの頭部形状だけを想定して製作されているため、多様な形状の人頭部模型を用いたヘアカット練習をすることはできなかった。即ち、人間の頭部の形状や、毛髪の形状は、実に多様であり、例えば、鉢が出っ張った頭部形状、後頭部が突出した形状（ゼッペキ）、ぼんのくぼの上の張り出し、耳後ろの張り出し、前頭骨の張り出し、頭頂部の尖り、額の広狭、その他頭部形状にゆがみがあったり、異形である場合には、そのような隆起部、凹陥部が毛髪の外観にそのままシルエットとして現れる。このような場合、例えば頭部の隆起に対応する毛髪部分のボリュームを減らす、問題箇所以外の毛髪部分を修正して問題箇所を目立たなくする、問題箇所を逆にポイントとして活用したデザインを考案する、レングス設定を変えてデザイン変更により対応する等の種々の補正方法が採られる。しかし、このような補正、デザインの案出を伴うヘアカット技術は熟練を要する技術であるため、一朝一夕には身に付かない。このため、このように頭部自体にゆがみがある場合を再現した人頭模型を用いたヘアカット練習が必要になる。このように形状にゆがみを有した人頭模型を個別に製作して練習用に供することは可能であるが、製作者側の製作手数の増大によりコストアップをもたらすことが必須であり、また美容院等の利用者側でも頭部形状の異なる多数の人頭模型を予め購入し、保管、管理する必要が生じるため、煩雑である。
【０００３】
【発明が解決しようとする課題】
本発明は上記に鑑みてなされたものであり、頭部模型本体に対して植毛体を着脱自在に交換使用可能にした人頭部模型において、一つの人頭部模型を多様に変形させて、多様な頭部形状（植毛体形状）を作出して、ヘアカット練習における低コスト化、及び樹脂材料のゴミ量を低減した美容用人頭部模型を提供することを目的とする。
【０００４】
【課題を解決するための手段】
上記課題を解決するため、請求項１の発明は、少なくとも顔部及び頭部を備えた人頭部本体と、植毛体と、を備えた美容用頭部模型であって、前記頭部は、前記顔部に対して着脱自在に構成され、前記植毛体は、前記頭部に対して着脱可能に固定されるベース部と、該ベース部外面に植毛された毛髪と、から成り、前記植毛体のベース部は、少なくとも一つの中空部を備え、該中空部内に充填物を着脱交換可能に構成することにより、前記植毛体の外観形状を変更可能に構成したことを特徴とする。
美容、理容練習用の人頭部模型は、人間の首から上部、即ち、首、顔、頭部を含めた形状を再現したものであり、頭部に植毛一体化された毛髪を利用してヘアカット練習を行うために利用される。頭部に対して毛髪を着脱自在に構成した従来例は存するが、頭部形状については平均的な頭蓋骨形状を模したものが用いられており、実際の人頭部に多いゆがみ、その他の異形状を反映した人頭部模型は開発されていない。このため、練習者がヘアカット練習するに際しては平均的な形状の人頭部模型しか利用できず、これが頭部形状にゆがみ等を有した実際の人間の毛髪をヘアカットする技術の向上を妨げる原因となっている。
本発明では、人頭部本体を構成する顔部に対して種々の外形を有した頭部を着脱可能に構成したので、同一の顔部を用いて頭部だけを交換することにより、種々のタイプの頭部形状を練習対象物として容易に利用することが可能となり、技術の習熟度を高めるだけでなく、材料コストを低減できる。また、毛髪についても、頭部に対して着脱自在に構成することにより、癖髪、その他の一般的でない毛髪に対応することが可能となる。また、植毛体については、予めその形状、肉厚等を固定的にしておいてもよいが、一部、又は全体を中空に構成しておき、この中空部内に種々の形状の充填物（パッド）を選択的に装着することにより、任意の頭部形状を作出することができる。
請求項２の発明は、少なくとも顔部及び頭部を備えた人頭部本体と、植毛体と、を備えた美容用頭部模型において、前記植毛体は、前記頭部に対して着脱自在に取り付けられる内面、及び毛髪を植毛する外面を備えたベース部と、該ベース部の外面に植毛される毛髪と、から成り、前記ベース部の外観形状を種々異ならせることにより、多様な植毛体形状を作出できるように構成され、前記ベース部は、少なくとも一つの中空部を備え、該中空部内に充填物を着脱交換可能に構成することにより、前記植毛体の外観形状を変更可能に構成したことを特徴とする。
頭部に対して着脱される植毛体自体の外面の形状を種々異ならせることにより、毛髪をカットし尽くした場合には、頭部だけを交換すればよく、経済的である。また、植毛体については、予めその形状、肉厚等を固定的にしておいてもよいが、一部、又は全体を中空に構成しておき、この中空部内に種々の形状の充填物を選択的に装着することにより、任意の頭部形状を作出することができる。
【０００５】
【発明の実施の形態】
以下、本発明を図面に示した実施の形態により詳細に説明する。
図１（ａ）（ｂ）及び（ｃ）は本発明の一実施形態に係る美容用（理容用）人頭部模型の構成説明図、Ａ−Ａ断面図、及び頭部を剥離した状態を示す図であり、この人頭部模型１は、少なくとも外層部が塩化ビニル等の樹脂材料、ゴム材料等から成る顔部２及び同様の材料から成る頭部３を備えた人頭部本体４と、この頭部３に対して着脱自在に結合される植毛体１１と、を備えている。
顔部２は、内部の芯の部分を剛性を有したプラスチック等により構成し、その外皮部分だけを可撓性を有した樹脂、ゴム等にて構成してもよい。
この実施形態では、頭部３は、顔部２に対して着脱自在に構成され、頭部３と顔部２の各接合部３ａ、２ａの境界５には段差が存在しないように構成されている。即ち、顔部２は、頭部３の内側の凹所３ｂ内に密着嵌合する凸部２ｂを有し、凸部２ｂが頭部３の内側の凹所（内面）３ｂに嵌合することにより、頭部３は顔部２に対して着脱可能に固定される。凸部２ｂを剛性を有した材料にて構成することにより、実際の頭骨と同等の感触を得ることができる。少なくとも凸部２ｂの外面、或いは凹所３ｂの内面のうちの一方の摩擦係数を高くしておき、両者間の位置ずれを防止することが好ましい。
なお、両者の結合手段１５として両面テープ、マジックテープ（登録商標）を使用してもよいし、或いは、顔部２側に設けた小凸部に対して頭部内面に設けた小凹部を嵌合させるようにした凹凸嵌合部を複数箇所設けて着脱自在に構成してもよい。
なお、顔部２と頭部３の境界は、必ずしも毛髪の生え際と一致させる必要はない。また、本発明において顔部２とは、首から上の顔面は勿論、額、耳を含む毛髪の生え際までの概念であり、頭部３とは、主として毛髪が生えている領域（及びその周辺）を含む概念である。額、耳、及びその周辺については、本実施形態では便宜上、顔部に含めているが、頭部側に含めてもよい。
【０００６】
図２は図１の実施形態において、同一の顔部２に対して異なった外観形状の頭部３を着脱する場合を示しており、頭部３の内側の凹所３ｂの形状は、顔部２の突部２ｂと密着嵌合できるように予め形状設定される。
この際、植毛体１１を構成するベース部１２を伸縮自在なゴム、樹脂等から構成しておくことにより、異なった形状の頭部３に対して共通使用することが可能となり、植毛体１１として別のものを用意する必要が無くなる。
このように同一の顔部２に対して外観形状の異なる頭部３を交換自在に構成したので、あらゆるタイプの頭部形状を再現することができ、更に後述する植毛体によって毛髪のタイプを任意に選択して多様なバリエーションを備えた練習具を作出することができる。
なお、頭部３の外面には、植毛はなされておらず、任意のタイプの植毛体１１を両面テープ、マジックテープ（登録商標）、ピン（植毛体の外側から頭部に突き刺して固定する）等の結合手段により取り付けることによって、練習の目的にかなった毛髪を設定し、練習に供することができる。
即ち、植毛体１１は、頭部３の外面に対して着脱可能に固定されるベース部１２と、ベース部外面に植毛された毛髪（人工毛髪を含む）１３と、から成り、ベース部１２の内面は頭部３の形状に整合するように予め設計してもよいし、ベース部１２を伸縮可能な樹脂、ゴム等から構成することにより、頭部３の外面形状の変化に追随して伸縮変形し、密着固定されるように構成してもよい。この植毛体１１は、種々のバリエーションを備えたものを交換使用可能となるように、多種類用意しておき、植毛体１１を任意に選択することにより、多様な練習内容を作出することができる。
このように本実施形態では、顔部２の凸部２ｂに対して、頭部３の内面凹所３ｂを密着嵌合せしめ、更に結合手段によって脱落、位置ずれが生じないように固定したので、ヘアカット練習を安定して行うことができる。顔部２、頭部３は、何回でも繰り返し使用が可能であり、毛髪体１１だけを複数種類用意して頭部に３に着脱して使用するので経済的である一方で、廃棄されるのは毛髪をカットし尽くした毛髪体だけであるため、ゴミの廃棄量が減少する。
【０００７】
次に、図３（ａ）及び（ｂ）は本発明の他の実施形態に係る人頭部模型の構成を示す分解図、及び植毛体の断面図であり、この人頭部模型１は、少なくとも顔部２及び頭部３を備えた人頭部本体４と、この頭部３に対して着脱自在に装着される植毛体１１と、を備え、植毛体１１は、頭部３表面に対して着脱自在に密着結合する内面を有したベース部２０と、ベース部２０の外面に植毛された毛髪２１と、を備えている。
植毛体１１のベース部２０は、頭部３に密着嵌合して結合手段によって着脱可能に固定される内面２０ａを有すると共に、ベース部２０の肉厚、形状は、あらゆる頭部形状のタイプを再現できるように、種々のバリエーションを予め製造しておく。図３（ｂ）に示すように実線で示した形状や、点線で示した形状が異なるベース部２０を有した植毛体１１を複数用意しておき、共通使用可能な頭部３に取り付けて使用する。
【０００８】
図４は変形例であり、植毛体１１を構成するベース部２０の内部の少なくとも一部を中空部２１にしておき、ベース部２０の内面等に設けた出し入れ口から中空部２１内に種々の形状の充填物（パッド）２３を選択的に充填することによって、ベース部の肉厚、形状を任意に変更し得るように構成してもよい。この際、中空のベース部２０の外皮は、弾性変形可能な樹脂、ゴムからなるシート材などから構成する。充填物としては、固形物としての樹脂、ゴム、或いは紙等を所要形状に整形したものが好ましい。
ベース部２０の内面を頭部３の外面に対して上記の如き結合手段１５により結合する点は、上記と同様である。
このような中空部を備えたベース部の構成は、図１の実施形態の植毛体についても適用することができる。つまり、図１の植毛体を構成するベース部１２の少なくとも一部を中空にして、その中空内部に任意の形状のパッド２３を着脱配置して、任意の植毛体形状を作出するようにしてもよい。
なお、ベース部２０を中空とせず、図３（ａ）に示した頭部３の外面にパッド２３を直接着脱自在に構成し、その上からベース部２０をかぶせ、結合手段により固定するように構成してもよい。実際の人頭部におけるゆがみ部の変形量は、数ｍｍ、数十ｍｍ程度のわずかな値であることが多いため、そのようなゆがみ部を再現するために挿入されるパッド２３の肉厚もその程度の値であり、パッド２３を頭部とベース部２０との間に介在させて押さえ込んだとしても、植毛体の支持強度にさほど大きな影響はなく、結合手段によって固定されたパッドがずれることもない。
【０００９】
【発明の効果】
以上のように本発明によれば、美容、理容の分野において、ヘアカット練習を行う際に使用する人頭部模型において、一つの人頭部模型を少なくとも顔部と頭部と毛髪とに分割可能に構成し、頭部、或いは毛髪の形状を多様に変形させて、多様な頭部形状、毛髪形状を作出して、ヘアカット練習における練習対象物の多様化を、低コスト化、及び樹脂材料のゴミ量を低減しながら実現することができる。
即ち、請求項１の発明では、人頭部本体を構成する顔部に対して種々の外形を有した頭部を着脱可能に構成したので、同一の顔部を用いて頭部だけを交換することにより、種々のタイプの頭部形状を練習対象物として容易に利用することが可能となり、技術の習熟度を高めるだけでなく、材料コストを低減できる。また、毛髪についても、頭部に対して着脱自在に構成することにより、癖髪、その他の一般的でない毛髪に対応することが可能となる。更に、植毛体については、予めその形状、肉厚等を固定的にしておいてもよいが、一部、又は全体を中空に構成しておき、この中空部内に種々の形状の充填物（パッド）を選択的に装着することにより、任意の頭部形状を作出することができる。
請求項２の発明は、頭部に対して着脱される植毛体自体の外面の形状を種々異ならせるようにしたので、毛髪をカットし尽くした場合には、植毛体だけを交換すればよく、経済的である。更に、植毛体ベース部の一部、又は全体を中空に構成しておき、この中空部内に種々の形状の充填物（パッド）を選択的に装着することにより、任意の植毛体形状を作出することができる。
【図面の簡単な説明】
【図１】（ａ）（ｂ）及び（ｃ）は本発明の一実施形態に係る美容用（理容用）人頭部模型の構成説明図、Ａ−Ａ断面図、及び頭部を剥離した状態を示す図。
【図２】図１の実施形態において、同一の顔部に対して異なった形状の頭部を着脱する場合を示す図。
【図３】（ａ）及び（ｂ）は本発明の他の実施形態に係る人頭部模型の構成を示す分解図、及び植毛体の断面図。
【図４】本発明の変形例の構成説明図。
【符号の説明】
１  人頭部模型、２  顔部、２ａ  接合部、２ｂ  凸部、３  頭部、３ａ  接合部、３ｂ  凹所、４  人頭部本体、５  境界、１１  植毛体、１２  ベース部、１３  毛髪、１５  結合手段、２０  ベース部、２１  中空部、２３  充填物（パッド）。
【図１】
0003675428.tif 000002
【図２】
0003675428.tif 000003
【図３】
0003675428.tif 000004
【図４】
0003675428.tif 000005